(57)【要約】【課題】印刷時の用紙補給における利便性の向上を図る。【解決手段】端末装置２は、複数の給紙台を有する印刷装置で複数の種別の用紙を用いた印刷を行うための印刷データに対して、複数の給紙台のうち印刷データに対応した各種別の用紙の給紙に用いる使用給紙台、使用給紙台に対する印刷開始時の用紙のセット枚数、印刷データによる印刷開始後の使用給紙台に対する用紙の補給タイミングおよび補給枚数を示す補給スケジュールを作成するスケジュール作成部１１と、表示部１２と、補給スケジュールを表示部１２に表示するよう制御する表示制御部１３とを備える。【選択図】図２
2013030084.tif 000002
【特許請求の範囲】
【請求項１】
複数の給紙台を有する印刷装置で複数の種別の用紙を用いた印刷を行うための印刷データに対して、前記複数の給紙台のうち前記印刷データに対応した各種別の用紙の給紙に用いる使用給紙台、前記使用給紙台に対する印刷開始時の用紙のセット枚数、前記印刷データによる印刷開始後の前記使用給紙台に対する用紙の補給タイミングおよび補給枚数を示す補給スケジュールを作成するスケジュール作成部と、
表示部と、
前記補給スケジュールを前記表示部に表示するよう制御する表示制御部と
を備えることを特徴とする印刷制御装置。
【請求項２】
前記スケジュール作成部は、複数の前記補給スケジュールを作成し、
前記表示制御部は、複数の前記補給スケジュールからいずれかをユーザに選択させるための選択画面を前記表示部に表示するよう制御することを特徴とする請求項１に記載の印刷制御装置。
【請求項３】
前記表示制御部は、前記補給スケジュールに応じた前記使用給紙台に対する作業のガイド情報を前記表示部に表示するよう制御することを特徴とする請求項１または２に記載の印刷制御装置。
【請求項４】
前記表示制御部は、前記印刷データによる印刷終了後に前記使用給紙台の用紙積載状態を、印刷開始時の用紙のセットが行われる前の状態に戻すことを推奨するための復元推奨情報を前記表示部に表示するよう制御することを特徴とする請求項１乃至３のいずれか１項に記載の印刷制御装置。
【請求項５】
複数の給紙台を有する印刷装置で複数の種別の用紙を用いた印刷を行うための印刷データに対して、前記複数の給紙台のうち前記印刷データに対応した各種別の用紙の給紙に用いる使用給紙台、前記使用給紙台に対する印刷開始時の用紙のセット枚数、前記印刷データによる印刷開始後の前記使用給紙台に対する用紙の補給タイミングおよび補給枚数を示す補給スケジュールを作成するステップと、
前記補給スケジュールを表示部に表示するステップと
をコンピュータに実行させるための補給スケジュール作成プログラム。
【発明の詳細な説明】
【技術分野】
【０００１】
本発明は、印刷データを出力する印刷制御装置および補給スケジュール作成プログラムに関する。
【背景技術】
【０００２】
従来、印刷装置における用紙等のユーザによる補給作業に関する支援を行うための技術が提案されている。
【０００３】
例えば、特許文献１には、用紙等の消耗品の残量から、指定の印刷枚数での印刷動作において必要量が確保されているか否かを判定し、不足している場合、ユーザに警告する技術が開示されている。これにより、ユーザが用紙等を事前に補給することが可能となる。
【先行技術文献】
【特許文献】
【０００４】
【特許文献１】特開２００１−１８４９７号公報
【発明の概要】
【発明が解決しようとする課題】
【０００５】
印刷装置において、１ジョブで大量の印刷を行うことがある。この場合、当該ジョブにおける印刷開始から印刷終了までの間にユーザが用紙を印刷装置に補給する作業を行う必要が生じることがある。
【０００６】
また、複数の給紙台を有する印刷装置において、１ジョブで複数種類の用紙を用いて印刷を行うことがある。例えば、印刷装置に後処理装置として、封書を作製する封入封緘装置が接続されている場合、印刷装置は、封筒用紙と内容物用の用紙（内容物用紙）とに印刷を行う。ここで、１ジョブで作成する封書数が大量の場合において、封筒用紙と内容物用紙とで、異なるタイミングで印刷装置に補給を行う必要が生じて補給の回数が多くなることがある。
【０００７】
通常、ユーザは、印刷装置から離れた場所にいる。用紙補給のために印刷装置の設置場所まで移動することは、ユーザにとって手間と時間を要することである。また、いつ用紙補給が必要になるかが不明のため、ユーザの他の業務の効率を低下させるおそれがあり、不便が生じていた。
【０００８】
本発明は上記に鑑みてなされたもので、印刷時の用紙補給における利便性を向上できる印刷制御装置および補給スケジュール作成プログラムを提供することを目的とする。
【課題を解決するための手段】
【０００９】
上記目的を達成するため、本発明に係る印刷制御装置の第１の特徴は、複数の給紙台を有する印刷装置で複数の種別の用紙を用いた印刷を行うための印刷データに対して、前記複数の給紙台のうち前記印刷データに対応した各種別の用紙の給紙に用いる使用給紙台、前記使用給紙台に対する印刷開始時の用紙のセット枚数、前記印刷データによる印刷開始後の前記使用給紙台に対する用紙の補給タイミングおよび補給枚数を示す補給スケジュールを作成するスケジュール作成部と、表示部と、前記補給スケジュールを前記表示部に表示するよう制御する表示制御部とを備えることにある。
【００１０】
本発明に係る印刷制御装置の第２の特徴は、前記スケジュール作成部は、複数の前記補給スケジュールを作成し、前記表示制御部は、複数の前記補給スケジュールからいずれかをユーザに選択させるための選択画面を前記表示部に表示するよう制御することにある。
【００１１】
本発明に係る印刷制御装置の第３の特徴は、前記表示制御部は、前記補給スケジュールに応じた前記使用給紙台に対する作業のガイド情報を前記表示部に表示するよう制御することにある。
【００１２】
本発明に係る印刷制御装置の第４の特徴は、前記表示制御部は、前記印刷データによる印刷終了後に前記使用給紙台の用紙積載状態を、印刷開始時の用紙のセットが行われる前の状態に戻すことを推奨するための復元推奨情報を前記表示部に表示するよう制御することにある。
【００１３】
本発明に係る補給スケジュール作成プログラムの特徴は、複数の給紙台を有する印刷装置で複数の種別の用紙を用いた印刷を行うための印刷データに対して、前記複数の給紙台のうち前記印刷データに対応した各種別の用紙の給紙に用いる使用給紙台、前記使用給紙台に対する印刷開始時の用紙のセット枚数、前記印刷データによる印刷開始後の前記使用給紙台に対する用紙の補給タイミングおよび補給枚数を示す補給スケジュールを作成するステップと、前記補給スケジュールを表示部に表示するステップとをコンピュータに実行させることにある。
【発明の効果】
【００１４】
本発明に係る印刷制御装置の第１の特徴によれば、スケジュール作成部が補給スケジュールを作成し、表示部に補給スケジュールを表示する。これにより、ユーザは、事前に補給スケジュールを確認でき、用紙補給および他の業務等の作業の予定を立てやすくなる。したがって、印刷時の用紙補給における利便性を向上できる。
【００１５】
本発明に係る印刷制御装置の第２の特徴によれば、複数の補給スケジュールからいずれかをユーザに選択させることで、ユーザが希望に応じた補給スケジュールを選択でき、より利便性が向上する。
【００１６】
本発明に係る印刷制御装置の第３の特徴によれば、補給スケジュールに応じた使用給紙台に対する作業のガイド情報を表示部に表示することで、ユーザの作業効率を向上させることができる。
【００１７】
本発明に係る印刷制御装置の第４の特徴によれば、使用給紙台の用紙積載状態を印刷開始時の用紙のセットが行われる前の状態に戻すことを推奨するための復元推奨情報を表示部に表示することで、印刷装置の給紙台の用紙積載状態が変化してしまうことを抑えることができる。
【００１８】
本発明に係る補給スケジュール作成プログラムの特徴によれば、用紙の補給スケジュールを作成し、表示部に補給スケジュールを表示する。これにより、ユーザは、事前に補給スケジュールを確認でき、用紙補給および他の業務等の作業の予定を立てやすくなる。したがって、印刷時の用紙補給における利便性を向上できる。
【図面の簡単な説明】
【００１９】
【図１】実施の形態に係る印刷システムの構成を示すブロック図である。
【図２】端末装置の構成を示すブロック図である。
【図３】印刷装置の概略構成図である。
【図４】印刷装置の制御系の構成を示すブロック図である。
【図５】封入封緘装置の概略構成図である。
【図６】封入作業情報入力画面の一例を示す図である。
【図７】詳細設定画面の一例を示す図である。
【図８】用紙積載情報表示画面の一例を示す図である。
【図９】選択画面の一例を示す図である。
【図１０】選択画面の一例を示す図である。
【図１１】スケジュール画面の一例を示す図である。
【図１２】スケジュール画面の他の例を示す図である。
【図１３】モード確認画面の一例を示す図である。
【図１４】確認画面の一例を示す図である。
【図１５】用紙セット指示画面の一例を示す図である。
【図１６】事前通知画面の一例を示す図である。
【図１７】本体側補給指示画面の一例を示す図である。
【図１８】端末側補給指示画面の一例を示す図である。
【図１９】印刷終了後作業指示画面の一例を示す図である。
【発明を実施するための形態】
【００２０】
以下、本発明の実施の形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００２１】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２２】
図１は、本実施の形態に係る印刷システムの構成を示すブロック図である。図１に示すように、本実施の形態に係る印刷システム１は、端末装置２と、印刷装置３と、封入封緘装置４とを備える。
【００２３】
端末装置２は、印刷対象のドキュメント等を印刷するための印刷データを印刷装置３に出力する。端末装置２は、ＬＡＮ等のネットワーク５を介して印刷装置３と通信可能である。端末装置２は、請求項の印刷制御装置に相当する。
【００２４】
図２は、端末装置２の構成を示すブロック図である。図２に示すように、端末装置２は、スケジュール作成部１１と、表示部１２と、表示制御部１３と、入力部１４と、通信部１５とを備える。
【００２５】
スケジュール作成部１１は、封入封緘装置４を用いる封書作製用の印刷を行うための印刷データに対して、用紙の補給スケジュールを作成する。補給スケジュールは、印刷装置３が有する複数の給紙台（後述する外部給紙台３５および第１〜第３内部給紙トレイ４０Ａ〜４０Ｃ）のうち印刷時に印刷データに対応した各種別の用紙の給紙に用いる給紙台（使用給紙台）、使用給紙台に対する印刷開始時の用紙のセット枚数、印刷開始後の使用給紙台に対する用紙の補給タイミングおよび補給枚数を示すものである。
【００２６】
表示部１２は、封書作製用の印刷時における上記補給スケジュール等の各種情報等を表示する。
【００２７】
表示制御部１３は、表示部１２の表示制御を行う。
【００２８】
入力部１４は、ユーザによる各種入力操作を受け付け、操作に応じた操作信号を出力する。
【００２９】
通信部１５は、端末装置２をネットワーク５に接続する。これにより、端末装置２が印刷装置３と通信可能となっている。
【００３０】
端末装置２は、ＣＰＵ、ＲＡＭ、ＲＯＭ、ハードディスク等を有するパーソナルコンピュータを備えて構成される。ＣＰＵがハードディスクに格納された補給スケジュール作成プログラムを実行することにより、スケジュール作成部１１、表示制御部１３の機能が実現される。スケジュール作成部１１、表示制御部１３の機能は、例えば、印刷装置３に対応したプリンタドライバの機能の一部として構成してもよい。また、表示部１２は、例えば、液晶表示装置からなる。入力部１４は、キーボード、マウス等からなる。
【００３１】
印刷装置３は、複数の給紙台を有している。図３は、印刷装置３の概略構成図、図４は、印刷装置３の制御系の構成を示すブロック図である。以下の説明における上下方向、左右方向は、図３において示す上下方向、左右方向を示すものとする。
【００３２】
図３、図４に示すように、印刷装置３は、給紙部２１と、印刷部２２と、連絡部２３と、上面搬送部２４と、排紙部２５と、反転部２６と、通信部２７と、操作パネル部２８と、制御部２９と、各部を収納または保持する筐体３０とを備える。
【００３３】
図３の印刷装置３において太線で示す経路が、用紙が搬送される搬送経路である。印刷装置３の搬送経路のうち、実線で示す経路が通常経路ＲＣ、一点鎖線で示す経路が反転経路ＲＲ、長破線で示す経路が排紙経路ＲＤ、短破線で示す経路が連絡経路ＲＯ、二点鎖線で示す経路が給紙経路ＲＳである。以下の説明における上流、下流は、搬送経路における上流、下流を意味する。
【００３４】
給紙部２１は、印刷部２２に給紙する。給紙部２１は、搬送経路の最も上流側に設けられる。給紙部２１は、外部給紙部３１と、内部給紙部３２とを備える。
【００３５】
外部給紙部３１は、大量の用紙を積載可能に構成され、印刷部２２に給紙を行う。外部給紙部３１は、印刷装置３本体の筐体３０の左側に接続されている。外部給紙部３１は、外部給紙台３５と、外部給紙ローラ３６と、複数対の外部給紙搬送ローラ３７と、各部を収納または保持する外部給紙部筐体３８とを備える。
【００３６】
外部給紙台３５は、大量の用紙が積載可能なものである。外部給紙台３５は、一部が外部給紙部筐体３８の外部に露出して設置されている。外部給紙台３５は、上下動可能に構成されている。外部給紙台３５は、用紙の位置を規制するためのフェンス（図示せず）を有する。外部給紙台３５は、請求項の給紙台に該当する。
【００３７】
外部給紙ローラ３６は、外部給紙台３５から用紙を１枚ずつ取り出して外部給紙搬送ローラ３７に向けて搬送する。外部給紙ローラ３６は、外部給紙台３５の上側に配置されている。外部給紙ローラ３６は、用紙の厚さ等に応じて給紙圧を変更可能に構成されている。
【００３８】
外部給紙搬送ローラ３７は、外部給紙台３５から取り出された用紙を後述のレジストローラ４５に向けて搬送する。複数対の外部給紙搬送ローラ３７は、給紙経路ＲＳに沿って配置されている。
【００３９】
また、外部給紙部３１は、外部給紙台３５を上下動させるモータと、外部給紙ローラ３６を回転駆動させるモータと、外部給紙搬送ローラ３７を回転駆動させるモータ（いずれも図示せず）とを備える。
【００４０】
なお、外部給紙部３１を取り外し、標準的な積載可能枚数の給紙台を有する給紙ユニットを印刷装置３に取り付けることも可能である。
【００４１】
内部給紙部３２は、印刷装置３本体の筐体３０の内部に設けられ、印刷部２２に給紙を行う。内部給紙部３２は、第１〜第３内部給紙トレイ４０Ａ〜４０Ｃと、第１〜第３内部給紙ローラ４１Ａ〜４１Ｃと、複数対の縦搬送ローラ４２とを備える。
【００４２】
第１〜第３内部給紙トレイ４０Ａ〜４０Ｃは、用紙が積載されるものである。第１〜第３内部給紙トレイ４０Ａ〜４０Ｃは、用紙の位置を規制するためのフェンス（図示せず）を有する。第１〜第３内部給紙トレイ４０Ａ〜４０Ｃは、請求項の給紙台に該当する。
【００４３】
第１〜第３内部給紙ローラ４１Ａ〜４１Ｃは、それぞれ第１〜第３内部給紙トレイ４０Ａ〜４０Ｃから用紙を１枚ずつ取り出して給紙経路ＲＳに送り出す。第１〜第３内部給紙ローラ４１Ａ〜４１Ｃは、それぞれ第１〜第３内部給紙トレイ４０Ａ〜４０Ｃの上側に配置されている。第１〜第３内部給紙ローラ４１Ａ〜４１Ｃは、用紙の厚さ等に応じて給紙圧を変更可能に構成されている。
【００４４】
縦搬送ローラ４２は、第１〜第３内部給紙トレイ４０Ａ〜４０Ｃから取り出された用紙を後述のレジストローラ４５に向けて搬送する。複数対の縦搬送ローラ４２は、給紙経路ＲＳに沿って配置されている。
【００４５】
また、内部給紙部３２は、第１〜第３内部給紙ローラ４１Ａ〜４１Ｃ、縦搬送ローラ４２を回転駆動させるモータ（図示せず）を備える。
【００４６】
印刷部２２は、用紙を搬送しつつ、用紙に印刷を行う。印刷部２２は、給紙部２１の下流側に配置されている。印刷部２２は、レジストローラ４５と、ベルト搬送部４６と、インクジェットヘッド部４７とを備える。
【００４７】
レジストローラ４５は、給紙部２１または反転部２６から搬送されてきた用紙を一旦止めた後、所定のタイミングでベルト搬送部４６へと送り出す。レジストローラ４５は、印刷部２２の上流部の通常経路ＲＣ上に配置されている。換言すると、レジストローラ４５は、給紙経路ＲＳと反転経路ＲＲとの合流地点の近傍に配置されている。
【００４８】
ベルト搬送部４６は、インクジェットヘッド部４７の下方において、レジストローラ４５から搬送されてきた用紙を保持して搬送する。ベルト搬送部４６は、レジストローラ４５の下流側に設けられている。ベルト搬送部４６は、インクジェットヘッド部４７の下方に対向して設けられた環状の搬送ベルト５０と、搬送ベルト５０を周回駆動させるベルト駆動ローラ５１と、ベルト駆動ローラ５１に従動する従動ローラ５２〜５４とを備える。搬送ベルト５０は、多数の穴が空けられた無端ベルトからなり、吸引ファン（図示せず）により穴から空気が吸引されることにより発生する負圧で用紙を吸着保持して搬送する。
【００４９】
インクジェットヘッド部４７は、ベルト搬送部４６の上方に配置され、用紙の搬送方向と略直交する方向に複数のノズルが配列されたラインタイプの複数のインクジェットヘッド（図示せず）を有する。インクジェットヘッド部４７は、ベルト搬送部４６により搬送される用紙にインクジェットヘッドからインクを吐出して画像を印刷する。
【００５０】
また、印刷部２２は、レジストローラ４５を回転駆動させるモータと、ベルト駆動ローラ５１を回転駆動させるモータ（いずれも図示せず）とを備える。
【００５１】
連絡部２３は、封書作製用の印刷時において、印刷済みの用紙を封入封緘装置４へと送り出す。連絡部２３は、切替部５６と、連絡搬送ローラ５７とを備える。
【００５２】
切替部５６は、通常経路ＲＣと連絡経路ＲＯとの分岐点に配置され、用紙の搬送経路を通常経路ＲＣと連絡経路ＲＯとの間で切り替える。連絡経路ＲＯは、印刷部２２と上面搬送部２４との境界から封入封緘装置４に向けて延びる経路である。連絡経路ＲＯの下流側の端部は、後述する封入封緘装置４の導入経路ＲＩの上流側の端部に接続されている。
【００５３】
連絡搬送ローラ５７は、ベルト搬送部４６から搬送されてきた用紙を搬送して封入封緘装置４へと送り出す。連絡搬送ローラ５７は、連絡経路ＲＯに沿って切替部５６の下流側に配置されている。
【００５４】
また、連絡部２３は、切替部５６を駆動させるソレノイドと、連絡搬送ローラ５７を回転駆動させるモータ（いずれも図示せず）とを備える。
【００５５】
上面搬送部２４は、ベルト搬送部４６によって搬送されてきた用紙を右方向から左方向にＵターンするように搬送する。上面搬送部２４は、複数対の上面搬送ローラ５８を備える。
【００５６】
上面搬送ローラ５８は、用紙をニップして搬送する。複数対の上面搬送ローラ５８は、印刷部２２と排紙部２５との間の通常経路ＲＣに沿って配置されている。１対の上面搬送ローラ５８は、反転経路ＲＲの上流部に配置されている。
【００５７】
また、上面搬送部２４は、複数対の上面搬送ローラ５８を回転駆動させる複数のモータ（図示せず）を備える。
【００５８】
排紙部２５は、印刷済みの用紙を排紙して積載する。排紙部２５は、切替部６１と、排紙ローラ６２と、排紙台６３とを備える。
【００５９】
切替部６１は、用紙の搬送経路を排紙経路ＲＤと反転経路ＲＲとの間で切り替える。切替部６１は、排紙経路ＲＤと反転経路ＲＲとの分岐点に配置されている。排紙経路ＲＤは、通常経路ＲＣの下流側の端部から排紙台６３に向けて延びる経路である。
【００６０】
排紙ローラ６２は、切替部６１と排紙台６３との間に配置され、上面搬送部２４により搬送されてきた用紙を排紙経路ＲＤに沿って搬送して排紙台６３へと排出する。
【００６１】
排紙台６３は、印刷装置３の左側に筐体３０から突出したトレイ形状を有し、傾斜して設置されている。排紙台６３は、排紙ローラ６２により搬送されてきた用紙を積載するものであり、傾斜の下位置に形成された壁により、傾斜に沿って滑落する用紙が自然に整えられて重なっていくようになっている。
【００６２】
また、排紙部２５は、切替部６１を駆動させるソレノイドと、排紙ローラ６２を回転駆動させるモータ（いずれも図示せず）とを備える。
【００６３】
反転部２６は、両面印刷の際に、片面印刷済みの用紙を印刷部２２に再供給するために、片面印刷済みの用紙を反転させてレジストローラ４５に搬送するものである。反転部２６は、反転ローラ６５と、スイッチバック部６６と、再給紙ローラ６７と、切替ゲート６８
とを備える。
【００６４】
反転ローラ６５は、上面搬送部２４により搬送されてきた用紙をスイッチバック部６６に一時的に搬入した後に搬出して、再給紙ローラ６７へと搬送する。反転ローラ６５は、反転経路ＲＲ上において、上面搬送ローラ５８とスイッチバック部６６の搬入口との間に配置されている。
【００６５】
スイッチバック部６６は、反転ローラ６５が用紙を一時的に搬入するための空間である。スイッチバック部６６は、排紙台６３の下部に形成された空間からなる。スイッチバック部６６は、反転ローラ６５の近傍が用紙を搬入するために開口されている。
【００６６】
再給紙ローラ６７は、反転ローラ６５により搬送されてきた用紙をレジストローラ４５へと搬送する。再給紙ローラ６７は、反転ローラ６５とレジストローラ４５との間の反転経路ＲＲ上に配置されている。
【００６７】
切替ゲート６８は、上面搬送ローラ５８によって搬送されてきた用紙を反転ローラ６５へとガイドする。また、切替ゲート６８は、反転ローラ６５によってスイッチバック部６６から搬出される用紙を再給紙ローラ６７へとガイドする。切替ゲート６８は、最も下流側の上面搬送ローラ５８、反転ローラ６５、および再給紙ローラ６７の３個所の重心近傍に配置されている。
【００６８】
また、反転部２６は、反転ローラ６５を回転駆動させるモータと、再給紙ローラ６７を回転駆動させるモータ（いずれも図示せず）とを備える。
【００６９】
通信部２７は、印刷装置３をネットワーク５に接続する。これにより、印刷装置３が端末装置２と通信可能となっており、印刷データ等を受信する。
【００７０】
操作パネル部２８は、ユーザの入力操作を受け付けるとともに、各種の情報等を表示するものである。操作パネル部２８は、入力部７１と、表示部７２とを備える。
【００７１】
入力部７１は、ユーザによる入力操作を受け付け、操作に応じた操作信号を出力する。入力部７１は、操作ボタン、タッチパネル等を有する。
【００７２】
表示部７２は、封書作製用の印刷時における使用給紙台に対する作業のガイド情報等の各種の情報等を表示するものである。表示部７２は、液晶表示パネル等からなる。
【００７３】
制御部２９は、印刷装置３の各部の動作を制御するものである。制御部２９は、ＣＰＵ、ＲＡＭ、ＲＯＭ、ハードディスク等を備えて構成される。また、制御部２９は、後述する封入封緘装置４の各部の動作を制御する。
【００７４】
封入封緘装置４は、印刷装置３で印刷された封筒用紙および内容物用紙を取り込み、封筒用紙から封筒を形成しつつ、封筒に内容物用紙を封入した封書を作製する装置である。封入封緘装置４は、印刷装置３の右側に接続されている。封筒用紙は、封入封緘装置４での封書作製に専用の用紙であり、加圧接触により接着する感圧接着剤、および水が付着することで接着可能となる再湿糊が予め所定の位置に塗布されている。内容物用紙としては、普通紙等が用いられる。
【００７５】
図５は、封入封緘装置４の概略構成図である。図５の封入封緘装置４において太線で示す経路が、用紙が搬送される搬送経路である。封入封緘装置４の搬送経路のうち、実線で示す経路が内容物経路ＲＢ、一点鎖線で示す経路が封筒用紙経路ＲＥ、破線で示す経路が封緘経路ＲＰ、二点鎖線で示す経路が導入経路ＲＩである。
【００７６】
図５に示すように、封入封緘装置４は、導入部８１と、内容物用紙搬送部８２と、内容物折り畳み部８３と、内容物待機部８４と、封筒用紙搬送部８５と、前折り部８６と、封筒形成部８７と、封緘部８８と、各部を収納する筐体８９とを備える。
【００７７】
導入部８１は、印刷装置３で印刷された封筒用紙および内容物用紙を封入封緘装置４に導入する。導入部８１は、導入搬送ローラ９１と、切替部９２と、導入搬送ローラ９１を回転駆動させるモータ（図示せず）と、切替部９２を駆動させるソレノイド（図示せず）とを備える。導入搬送ローラ９１は、印刷装置３の連絡部２３から用紙を取り込み、導入経路ＲＩに沿って搬送する。導入経路ＲＩの上流側の端部は、印刷装置３の連絡経路ＲＯの下流側の端部に接続されている。切替部９２は、導入搬送ローラ９１により搬送されてきた内容物用紙を内容物経路ＲＢへと導き、封筒用紙を封筒用紙経路ＲＥへと導く。
【００７８】
内容物用紙搬送部８２は、内容物用紙を導入部８１から内容物折り畳み部８３へと搬送する。内容物用紙搬送部８２は、内容物用紙搬送ローラ９５と、整合ゲート９６と、内容物用紙搬送ローラ９５を回転駆動させるモータ（図示せず）と、整合ゲート９６を駆動させるモータ（図示せず）とを備える。内容物用紙搬送ローラ９５は、切替部９２により内容物経路ＲＢへと導かれた内容物用紙を搬送する。整合ゲート９６は、内容物経路ＲＢを開状態と閉状態との間で切り替える。整合ゲート９６は、内容物経路ＲＢを閉状態とすることにより、一通の封書に封入される複数枚の内容物用紙を集積して整合する。
【００７９】
内容物折り畳み部８３は、内容物用紙を封筒に封入するために折り畳む。内容物折り畳み部８３は、主折りローラ１０１と、導入ローラ１０２と、中間ローラ１０３と、導出ローラ１０４と、それぞれ突き当て部材１０５ａ，１０６ａを有するガイド板１０５，１０６と、主折りローラ１０１を回転駆動させるモータ（図示せず）とを備える。主折りローラ１０１は、時計回りに回転可能に構成され、中間ローラ１０３との間、および導出ローラ１０４との間で内容物用紙を折り曲げる。導入ローラ１０２は、主折りローラ１０１と協働して、内容物用紙搬送部８２により搬送されてきた内容物用紙を、ガイド板１０５の突き当て部材１０５ａに突き当て、内容物用紙にたるみを生じさせる。中間ローラ１０３は、たるみが生じた内容物用紙を、たるみ部分から主折りローラ１０１との間に引き込んで折り曲げる。折り曲げられた内容物用紙は、ガイド板１０６の突き当て部材１０６ａに突き当てられ、たるみを生じる。導出ローラ１０４は、たるみが生じた内容物用紙を、たるみ部分から主折りローラ１０１との間に引き込んで折り曲げつつ、内容物待機部８４側（右上側）へと送り出す。
【００８０】
内容物待機部８４は、内容物折り畳み部８３で折り畳まれた内容物用紙を一時的に待機させた後、封筒形成部８７へと送り出す。内容物待機部８４は、内容物折り畳み部８３と封筒形成部８７との間の内容物経路ＲＢに沿って配置された複数対の送出ローラ１０８と、送出ローラ１０８を回転駆動させるモータ（図示せず）とを備える。待機中は、送出ローラ１０８は、折り畳まれた内容物用紙をニップした状態で停止させている。
【００８１】
封筒用紙搬送部８５は、封筒用紙を導入部８１から前折り部８６へと搬送する。封筒用紙搬送部８５は、導入部８１と前折り部８６との間の封筒用紙経路ＲＥに沿って配置され、封筒用紙を搬送する封筒用紙搬送ローラ１０９と、封筒用紙搬送ローラ１０９を回転駆動させるモータ（図示せず）とを備える。
【００８２】
前折り部８６は、封筒用紙から封筒を形成する際の１段階目の折り曲げ作業である前折を行う。前折り部８６は、主折りローラ１１０と、導入ローラ１１１と、導出ローラ１１２と、突き当て部材１１３ａを有するガイド板１１３と、主折りローラ１１０を回転駆動させるモータ（図示せず）とを備える。主折りローラ１１０は、反時計回りに回転可能に構成され、導出ローラ１１２との間で封筒用紙の前折りを行う。導入ローラ１１１は、主折りローラ１１０と協働して、封筒用紙搬送部８５により搬送されてきた封筒用紙を、ガイド板１１３の突き当て部材１１３ａに突き当て、封筒用紙にたるみを生じさせる。導出ローラ１１２は、たるみが生じた封筒用紙を、たるみ部分から主折りローラ１１０との間に引き込んで折り曲げつつ、封筒形成部８７側（右側）へと送り出す。
【００８３】
封筒形成部８７は、前折り部８６で前折りされた封筒用紙を折り曲げて封筒を形成しつつ、内容物用紙を封筒に収容する。封筒形成部８７は、主折りローラ１１５と、導入ローラ１１６と、中間ローラ１１７と、導出ローラ１１８と、それぞれ突き当て部材１１９ａ，１２０ａを有するガイド板１１９，１２０と、主折りローラ１１５を回転駆動させるモータ（図示せず）とを備える。主折りローラ１１５は、反時計回りに回転可能に構成され、中間ローラ１１７との間、および導出ローラ１１８との間で封筒用紙を折り曲げる。導入ローラ１１６は、主折りローラ１１５と協働して、前折り部８６から搬送されてきた封筒用紙を、ガイド板１１９の突き当て部材１１９ａに突き当て、封筒用紙にたるみを生じさせる。中間ローラ１１７は、たるみが生じた封筒用紙を、たるみ部分から主折りローラ１１５との間に引き込んで折り曲げる。このとき、折り畳まれた内容物用紙が、内容物待機部８４から主折りローラ１１５と中間ローラ１１７との間に向けて送り出され、折り曲げられる封筒用紙に挿入される。折り曲げられた封筒用紙は、ガイド板１２０の突き当て部材１２０ａに突き当てられ、たるみを生じる。この際、水タンクを有する水塗布部（図示せず）により、予め封筒用紙の所定位置に設けられた再湿糊に水が塗布される。導出ローラ１１８は、突き当て部材１２０ａに突き当てられてたるみが生じた封筒用紙を、たるみ部分から主折りローラ１１５との間に引き込んで折り曲げつつ、封緘部８８側（上側）へと送り出す。この際、再湿糊が対向面に接着し、内容物用紙を収容した封筒が形成される。
【００８４】
封緘部８８は、封筒形成部８７で形成された封筒を封緘して封書を完成させる。封緘部８８は、複数対の封筒搬送ローラ１２１と、封緘ローラ１２２と、封筒搬送ローラ１２１を回転駆動させるモータ（図示せず）と、封緘ローラ１２２を回転駆動させるモータ（図示せず）とを備える。封筒搬送ローラ１２１は、封筒形成部８７で形成された封筒を、封緘経路ＲＰに沿って封緘ローラ１２２へと搬送する。封緘ローラ１２２は、封筒を搬送しつつ、封筒の両端部に相当する位置に予め設けられた感圧接着剤同士を圧着することで封緘する。これにより、折り畳まれた内容物用紙が封入された封書が完成する。完成した封書は、図示しない封書排出部により排出される。
【００８５】
次に、印刷システム１の動作について説明する。
【００８６】
ユーザ操作により封入封緘装置４を用いる封書作製用の印刷が指示されると、スケジュール作成部１１は、表示制御部１３により表示部１２に封入作業情報入力画面を表示させる。
【００８７】
封入作業情報入力画面の一例を図６に示す。図６に示すように、封入作業情報入力画面１３０には、印刷部数欄１３１と、印刷条件欄１３２と、内容物用紙指定欄１３３と、給紙設定条件欄１３４と、用紙積載情報ボタン１３５と、ＯＫボタン１３６とが表示される。
【００８８】
印刷部数欄１３１は、今回の印刷により作製される封書の数量の入力欄である封書数量入力欄１４１と、封書１通あたりに封入される内容物用紙の枚数の入力欄である内容物枚数入力欄１４２とを有する。
【００８９】
印刷条件欄１３２は、内容物用紙の出力用紙サイズの入力欄である用紙サイズ入力欄１４３と、指定ページの片面印刷を指示するための片面印刷指示ボックス１４４と、片面印刷の指定ページの入力欄である片面印刷ページ入力欄１４５と、指定ページの両面印刷を指示するための両面印刷指示ボックス１４６と、両面印刷の指定ページの入力欄である両面印刷ページ入力欄１４７とを有する。また、印刷条件欄１３２は、ユーザが、封筒用紙が片面印刷か両面印刷かを指示するための封筒用紙印刷条件欄１４８を有する。
【００９０】
内容物用紙指定欄１３３は、ユーザが内容物用紙として使用する用紙種類の指定があるか否かを指示するための用紙指定有無欄１４９と、指定される用紙種類の数の入力欄である用紙種類数入力欄１５０と、内容物用紙指定の詳細設定画面を表示させる指示を受け付けるための詳細ボタン１５１とを有する。
【００９１】
詳細ボタン１５１が押下されると、図７に示すような詳細設定画面１６０が表示部１２に表示される。図７に示すように、詳細設定画面１６０には、指定される用紙種類の入力欄である用紙種類入力欄１６１と、指定される用紙種類の用紙で印刷されるページの入力欄である用紙指定ページ入力欄１６２とが表示される。なお、図７は、指定される用紙種類が１種類の場合の例であるが、複数種類が指定される場合、用紙種類入力欄１６１および用紙指定ページ入力欄１６２が、指定される種類の数と同じだけ表示される。
【００９２】
給紙設定条件欄１３４は、印刷装置３に対するユーザの作業に関する優先条件をユーザに選択させるための入力欄である。給紙設定条件欄１３４には、印刷装置３の各給紙台（外部給紙台３５および第１〜第３内部給紙トレイ４０Ａ〜４０Ｃ）における現在の用紙をなるべく載せ換えないこと、および、現在の用紙の載せ換えは考慮せず補給回数を重視すること（補給回数が少ないこと）、が優先条件として表示されている。
【００９３】
ここで、「用紙を載せ換える」とは、給紙台に積載されている用紙の種別、および用紙のセット方向の少なくともいずれか一方を変更して用紙をセットすることを意味する。用紙の種別とは、用紙種類（普通紙、インクジェット用紙、封筒用紙等）および用紙サイズにより分類される用紙の区分とする。例えば、用紙種類が同じでもサイズの異なる用紙は、種別が異なるものとする。用紙のセット方向は、短辺給紙または長辺給紙の方向である。短辺給紙とは、用紙の短辺が搬送方向に直交する方向で搬送されるように給紙する方法である。長辺給紙とは、用紙の長辺が搬送方向に直交する方向で搬送されるように給紙する方法である。なお、本実施の形態では、封入封緘装置４および封筒用紙の仕様上、内容物用紙は、Ａ４サイズまたはＢ５サイズで、印刷装置３において短辺給紙でなければならないものとする。また、封筒用紙も短辺給紙でなければならないものとする。
【００９４】
給紙台の用紙を載せ換えることは、ユーザにとって手間を要することである。また、封入封緘装置４を用いる封書作製用の印刷終了後は、各給紙台の用紙積載状態が、印刷開始時の用紙のセットが行われる前の状態に復元されることが好ましい。そこで、各給紙台の用紙をなるべく載せ換えないことを優先条件の１つとしている。なお、用紙の載せ換え作業が必要な給紙台の数が同じであれば、その載せ換え作業を行ったときに補給回数がなるべく少なくなるような補給スケジュールが作成される。以下では、優先条件が図６の給紙設定条件欄１３４に示した２つである場合について説明するが、これに限らず、他の条件を用いてもよい。
【００９５】
用紙積載情報ボタン１３５は、現状の印刷装置３の各給紙台における用紙積載情報を表示させる指示を受け付けるためのボタンである。用紙積載情報ボタン１３５が押下されると、図８に示すような用紙積載情報表示画面１７０が表示部１２に表示される。図８に示すように、用紙積載情報は、用紙サイズ、用紙種類、セット方向、封書作製用の印刷での使用可否の情報を含む。端末装置２は、用紙積載情報ボタン１３５が押下されると、用紙積載情報を印刷装置３から取得する。なお、端末装置２は、用紙積載情報として、各給紙台の現在の用紙積載枚数も取得可能である。印刷装置３は、ソフトカウンタ等により各給紙台の現在の用紙積載枚数を把握している。
【００９６】
ＯＫボタン１３６は、現在の各欄の入力内容で決定とする指示を受け付けるためのボタンである。
【００９７】
スケジュール作成部１１は、封入作業情報入力画面１３０の各欄に入力すべき情報のうち、封入封緘装置４を用いる封書作製用の印刷データから取得可能な情報を取得し、これを各欄に予め入力して表示させるようにしてもよい。印刷データは、端末装置２においてアプリケーションで作成された印刷対象のドキュメント等の内容と、各種の設定内容とを含む。設定内容としては、封書の作製数量、封書１通あたりに封入される内容物用紙の枚数、内容物用紙の出力用紙サイズ等の情報が含まれる。
【００９８】
封入作業情報入力画面１３０のＯＫボタン１３６が押下されると、スケジュール作成部１１は、封入作業情報入力画面１３０の各欄の入力内容、各給紙台の最大積載可能枚数、および印刷装置３から取得した用紙積載情報を用いて、補給スケジュールを作成する。スケジュール作成部１１は、封入作業情報入力画面１３０の給紙設定条件欄１３４に示されている２つの優先条件のそれぞれに応じた補給スケジュールを作成する。スケジュール作成部１１は、このうち、給紙設定条件欄１３４で選択された優先条件に応じた補給スケジュールをユーザに推奨する。なお、給紙設定条件欄１３４の２つの優先条件それぞれに対応する補給スケジュールにおける補給回数が同じである場合、スケジュール作成部１１は、「現在の用紙をなるべく載せ換えない」に応じた補給スケジュールをユーザに推奨する。
【００９９】
補給スケジュールを作成すると、スケジュール作成部１１は、表示制御部１３により表示部１２に選択画面を表示させる。選択画面は、複数の補給スケジュールからいずれかをユーザに選択させるためのものである。
【０１００】
選択画面の一例を図９に示す。図９に示すように、選択画面１８０には、表示内容を切り替えるためのタブ１８１Ａ，１８１Ｂが設けられている。タブ１８１Ａ，１８１Ｂは、それぞれ第１スケジュール、第２スケジュールに対応する。図９は、タブ１８１Ａの第１スケジュールが選択された選択画面１８０の一例を示す。
【０１０１】
選択画面１８０には、印刷にかかる正味の所要時間が表示されている。これには、用紙補給時の印刷が停止している時間は含まれない。印刷の所要時間は、封筒用紙および内容物用紙の印刷枚数、片面印刷枚数および両面印刷枚数等に基づいて算出される。
【０１０２】
また、選択画面１８０には、印刷開始時セット枚数欄１８２と、セット方向表示欄１８３と、スケジュール詳細ボタン１８４と、ＯＫボタン１８５とが表示される。
【０１０３】
印刷開始時セット枚数欄１８２は、印刷開始時における各使用給紙台に対する用紙のセット枚数を示す欄である。図９の例では、外部給紙台３５、第１内部給紙トレイ４０Ａ、第２内部給紙トレイ４０Ｂが使用給紙台であり、第３内部給紙トレイ４０Ｃは使用されない。外部給紙台３５はＡ４の普通紙、第１内部給紙トレイ４０ＡはＡ４のインクジェット用紙、第２内部給紙トレイ４０Ｂは封筒用紙の給紙に使用される。また、外部給紙台３５には元からＡ４の普通紙が短辺給紙の方向でセットされていて、今回の印刷にあたってＡ４の普通紙を追加することを示している。
【０１０４】
セット方向表示欄１８３は、各使用給紙台に対する用紙のセット方向を、イラストを用いて示す欄である。ここで、封筒用紙には表裏および前後の方向の区別があるので、これが分かるような表示とされる。
【０１０５】
印刷開始時セット枚数欄１８２およびセット方向表示欄１８３の表示内容は、請求項における、使用給紙台に対する作業のガイド情報に該当する。
【０１０６】
スケジュール詳細ボタン１８４は、補給スケジュールの全体を表示させる指示を受け付けるためのボタンである。
【０１０７】
ＯＫボタン１８５は、タブ１８１Ａ，１８１Ｂのうち選択されたタブに対応する補給スケジュールで決定とする指示を受け付けるためのボタンである。
【０１０８】
タブ１８１Ｂの第２スケジュールが選択された選択画面１８０の一例を図１０に示す。図１０の例では、外部給紙台３５は封筒用紙、第１内部給紙トレイ４０ＡはＡ４の普通紙、第２内部給紙トレイ４０ＢはＡ４のインクジェット用紙の給紙に使用される。
【０１０９】
図９、図１０の選択画面１８０において、スケジュール詳細ボタン１８４が押下されると、スケジュール作成部１１は、補給スケジュールを示すスケジュール画面を表示する。
【０１１０】
図１１は、図９のスケジュール詳細ボタン１８４が押下されたときに表示されるスケジュール画面の一例、図１２は、図１０のスケジュール詳細ボタン１８４が押下されたときに表示されるスケジュール画面の一例を示す図である。図１１は、第１スケジュールに対応し、図１２は、第２スケジュールに対応する。
【０１１１】
図１１、図１２に示すように、スケジュール画面１９０Ａ，１９０Ｂには、補給スケジュールにおける印刷中の補給回数、各補給タイミングにおける各使用給紙台への補給枚数、補給タイミングの時間間隔が表示される。ここで、スケジュール画面１９０Ａ，１９０Ｂでは、用紙５００枚を１包みとして表示しているが、１包みの枚数は、端末装置２および印刷装置３において予め設定可能である。
【０１１２】
また、スケジュール画面１９０Ａ，１９０Ｂには、印刷終了後作業指示欄１９１が設けられている。印刷終了後作業指示欄１９１は、印刷終了後に、各給紙台の用紙積載状態を印刷開始時の用紙のセットが行われる前の状態に戻すことをユーザに推奨するためのものである。印刷終了後作業指示欄１９１には、印刷開始時の用紙のセットが行われる前の状態において各給紙台にセットされていた用紙の用紙サイズ、用紙種類、セット方向が表示される。印刷終了後作業指示欄１９１の表示内容は、請求項の復元推奨情報に相当する。
【０１１３】
図１１、図１２に示した第１スケジュール、第２スケジュールは、各給紙台の用紙積載状態が、印刷終了後作業指示欄１９１に表示された状態であるときに作成されたものである。そして、図１１の第１スケジュールは、現在の用紙をなるべく載せ換えないように作成されたものである。図１２の第２スケジュールは、用紙の載せ換えを考慮せず補給回数が最も少なくなるように作成された補給スケジュールである。図１１、図１２に示すように、第１スケジュールの補給回数と第２スケジュールの補給回数は同じ９回である。前述のように、補給回数が同じである場合、スケジュール作成部１１は、「現在の用紙をなるべく載せ換えない」に応じた補給スケジュールをユーザに推奨する。したがって、図９、図１０のタブ１８１Ａに示すように、第１スケジュールが推奨されている。
【０１１４】
なお、図１１における８回目の給紙において、外部給紙台３５に１０００枚を補給し、印刷終了時に外部給紙台３５に用紙が残らないようになっているが、もともと外部給紙台３５には、Ａ４サイズの普通紙が短辺給紙の方向でセットされている。このため、印刷終了時に外部給紙台３５に用紙が残っていても、用紙の載せ換えを行う必要はないので、図１１では、８回目の補給において、外部給紙台３５には１０００枚より多く補給しても構わない旨を表示している。
【０１１５】
また、図１１、図１２の補給スケジュールは、印刷開始時において各使用給紙台に対して用紙の載せ換えまたは追加を行うものであるが、これらを行わずにそのまま印刷開始する使用給紙台がある補給スケジュールも作成可能である。
【０１１６】
ユーザ操作により選択画面１８０のＯＫボタン１８５が押下されると、スケジュール作成部１１は、タブ１８１Ａおよびタブ１８１Ｂのうち選択されている一方に対応する補給スケジュールを示す情報と印刷データとを対応させて、通信部１５を介して印刷装置３へと送信する。
【０１１７】
印刷装置３は、端末装置２から送信された印刷データおよびこれに対応する補給スケジュールを示す情報を通信部２７により受信する。
【０１１８】
印刷装置３は、待機時においては、モード選択画面を操作パネル部２８の表示部７２に表示している。モード確認画面の一例を図１３に示す。図１３に示すように、モード選択画面２００には、ユーザのログインを受け付けるためのログインボタン２０１と、印刷装置３のプリンタ機能を使用する選択を受け付けるためのプリンタモード選択ボタン２０２と、印刷装置３のコピー機能を使用する選択を受け付けるためのコピーモード選択ボタン２０３と、印刷装置３のスキャナ機能を使用する選択を受け付けるためのスキャナモード選択ボタン２０４とが表示されている。なお、印刷装置３は、図示しない画像読取部を備え、コピー機能およびスキャナ機能を有するものとする。
【０１１９】
端末装置２において選択画面１８０のＯＫボタン１８５を押下する操作を行ったユーザは、印刷装置３の設置場所まで移動する。そして、ユーザは、ログインボタン２０１を押下する操作を行う。
【０１２０】
ログインボタン２０１が押下されると、印刷装置３の制御部２９は、表示部７２にユーザ名選択画面（図示せず）を表示させる。ユーザ名選択画面においてユーザ操作によりユーザ名が選択されると、制御部２９は、表示部７２にパスワード入力画面（図示せず）を表示させる。パスワード入力画面においてユーザ操作によりパスワードが入力されると、制御部２９は、入力されたパスワードと、予め記憶している当該ユーザのパスワードとを照合し、パスワードが一致すればログインを許可する。
【０１２１】
ログインを許可すると、制御部２９は、封入封緘装置４を用いる封書作製用の印刷を実行するための用紙のセット等の準備を行うか否かをユーザに確認するための確認画面を表示部７２に表示させる。この確認画面の一例を図１４に示す。図１４に示すように、確認画面２１０には、封書作製用の印刷の準備を行う選択を受け付けるための「する」ボタン２１１と、封書作製用の印刷の準備を行わない選択を受け付けるための「しない」ボタン２１２とが表示される。
【０１２２】
なお、制御部２９は、端末装置２から印刷データを受信した際に、送信したユーザを判断できる。ログインしたユーザにより送信された封書作製用の印刷データを受信している場合に、制御部２９は、確認画面２１０を表示部７２に表示させる。
【０１２３】
確認画面２１０の「しない」ボタン２１２が押下された場合、制御部２９は、表示部７２の表示をモード選択画面２００に戻す。この場合、ユーザがプリンタモード以外のモードを使用することが考えられるからである。
【０１２４】
確認画面２１０の「する」ボタン２１１が押下された場合、制御部２９は、受信した印刷データおよびこれに対応する補給スケジュールによる印刷開始時の用紙のセット内容を指示するための用紙セット指示画面を表示部７２に表示させる。用紙セット指示画面の一例を図１５に示す。図１５に示すように、用紙セット指示画面２２０には、端末装置２で表示された選択画面１８０の印刷開始時セット枚数欄１８２およびセット方向表示欄１８３と同様の内容が表示される。用紙セット指示画面２２０の表示内容は、請求項における、使用給紙台に対する作業のガイド情報に該当する。
【０１２５】
また、用紙セット指示画面２２０には、印刷開始のための用紙のセットが終了したことの確認を受け付けるためのセット終了ボタン２２１が表示されている。ユーザは、用紙セット指示画面２２０に従って用紙をセットして印刷開始の準備が完了すると、セット終了ボタン２２１を押下する操作を行う。
【０１２６】
セット終了ボタン２２１が押下されると、制御部２９は、必要に応じて使用給紙台における給紙圧等の設定を変更させる。使用給紙台に積載される用紙の厚さ等が変わった場合、給紙圧等の設定を変更する必要が生じることがある。給紙圧は、例えば、第１内部給紙ローラ４１Ａによる第１内部給紙トレイ４０Ａ上の用紙に対する押圧力である。
【０１２７】
また、セット終了ボタン２２１が押下されると、制御部２９は、印刷開始のために入力部７１のスタートボタン（図示せず）をユーザに押下させるためのメッセージを表示部７２に表示させる。入力部７１のスタートボタンが押下されると、制御部２９は、受信した印刷データおよびこれに対応する補給スケジュールによる印刷動作および封入封緘装置４による封書作製動作を開始させる。
【０１２８】
印刷装置３における封書作製用の印刷について、片面印刷、両面印刷に分けて説明する。
【０１２９】
片面印刷では、給紙部２１から印刷部２２へと給紙された用紙は、レジストローラ４５によりベルト搬送部４６へと送り出される。この後、用紙は、ベルト搬送部４６により搬送されつつ、インクジェットヘッド部４７により印刷される。印刷された用紙は、ベルト搬送部４６によって搬送されつつ、連絡部２３の切替部５６により連絡経路ＲＯへと導かれ、連絡搬送ローラ５７により封入封緘装置４へと送り出される。
【０１３０】
ここで、給紙部２１において、外部給紙部３１から給紙される用紙は、外部給紙台３５から外部給紙ローラ３６により取り出され、外部給紙搬送ローラ３７により印刷部２２へと搬送される。内部給紙部３２から給紙される用紙は、第１〜第３内部給紙トレイ４０Ａ〜４０Ｃのいずれかから、対応する第１〜第３内部給紙ローラ４１Ａ〜４１Ｃのいずれかにより取り出され、縦搬送ローラ４２により印刷部２２へと搬送される。
【０１３１】
両面印刷では、給紙部２１から印刷部２２へと給紙された用紙は、片面印刷と同様に、ベルト搬送部４６により搬送されつつ、インクジェットヘッド部４７により一方の面に印刷される。その後、片面印刷済みの用紙は、ベルト搬送部４６によって搬送されつつ、連絡部２３の切替部５６により上面搬送部２４へと導かれる。用紙は、上面搬送部２４により排紙部２５の切替部６１まで搬送される。この後、用紙は、上面搬送部２４により搬送されつつ、切替部６１により反転部２６へと導かれる。反転部２６では、用紙は、切替ゲート６８により反転ローラ６５へと導かれ、反転ローラ６５によりスイッチバック部６６へと搬入される。その後、用紙は、反転ローラ６５によりスイッチバック部６６から搬出されるとともに、切替ゲート６８により再給紙ローラ６７へと導かれる。次いで、用紙は、再給紙ローラ６７により印刷部２２へと再給紙される。印刷部２２では、用紙は、レジストローラ４５によりベルト搬送部４６へと送り出される。ここで、用紙は、反転部２６によって反転されているので、未印刷面（他方の面）がインクジェットヘッド部４７に向けられている。インクジェットヘッド部４７により用紙の他方の面に印刷された後、両面印刷済みの用紙は、ベルト搬送部４６によって搬送されつつ、連絡部２３の切替部５６により連絡経路ＲＯへと導かれ、連絡搬送ローラ５７により封入封緘装置４へと送り出される。
【０１３２】
印刷装置３は、封書１通分ごとに内容物用紙および封筒用紙を印刷して封入封緘装置４に送り出す動作を、作製される封書の数量分だけ繰り返す。例えば、印刷装置３は、封書１通あたりの内容物用紙が２枚である場合において、内容物用紙２枚に印刷した後、１枚の封筒用紙に印刷し、これらを順次封入封緘装置４に送り出す動作を、作製される封書の数量分だけ繰り返す。
【０１３３】
次に、封入封緘装置４における封書作製について説明する。
【０１３４】
印刷装置３から送り出された印刷済みの内容物用紙は、導入部８１により内容物用紙搬送部８２へと導かれる。内容物用紙搬送部８２では、内容物用紙は、内容物用紙搬送ローラ９５により閉状態の整合ゲート９６へと搬送される。以上が繰り返され、封書１通あたりの内容物用紙が整合ゲート９６により整合されると、整合ゲート９６が開状態となり、内容物用紙は、内容物折り畳み部８３へと搬送される。そして、内容物用紙は、内容物折り畳み部８３で折り畳まれて内容物待機部８４へと搬送され、内容物待機部８４で一時的に待機させられる。
【０１３５】
一方、印刷装置３から送り出された印刷済みの封筒用紙は、導入部８１により封筒用紙搬送部８５へと導かれる。封筒用紙は、封筒用紙搬送部８５により前折り部８６へと搬送され、前折り部８６で前折りされつつ、封筒形成部８７へと送り出される。封筒形成部８７では、封筒用紙は、折り曲げられつつ、内容物待機部８４から送り出される内容物用紙を挟み込む。また、水塗布部（図示せず）により封筒用紙の再湿糊に水が塗布され、封筒用紙が折り曲げられる際に、水が塗布された再湿糊が対向面に接着し、内容物用紙を収容した封筒が形成される。
【０１３６】
封筒形成部８７で形成された封筒は、封緘部８８へと送り出され、封緘ローラ１２２により封筒の両端部が圧着されて封緘される。これにより封書が完成し、この封書は、図示しない封書排出部により排出される。
【０１３７】
印刷開始後、作製する封書の数量に応じて、印刷装置３による印刷および封入封緘装置４による封書作製の動作が繰り返される。
【０１３８】
印刷装置３は、印刷開始後、用紙の補給タイミングが近づくと、端末装置２に、事前通知指示信号を送信する。例えば、印刷装置３の制御部２９は、補給スケジュールにおける補給タイミングの１分前になると、通信部２７を介して端末装置２に事前通知指示信号を送信する。なお、制御部２９は、印刷枚数をカウントし、使用給紙台の用紙の残り枚数が所定数以下になったときに、事前通知指示信号を端末装置２に送信するようにしてもよい。
【０１３９】
印刷装置３から事前通知信号を受信すると、端末装置２のスケジュール作成部１１は、表示制御部１３により表示部１２に事前通知画面を表示させる。事前通知画面の一例を図１６に示す。図１６に示すように、事前通知画面２３０には、ユーザに用紙の補給タイミングが近いことを通知するためのメッセージが表示される。
【０１４０】
その後、用紙の補給タイミングになると、印刷装置３の制御部２９は、本体側補給指示画面を操作パネル部２８の表示部７２に表示させるとともに、通信部２７を介して端末装置２に補給指示信号を送信する。制御部２９は、例えば、使用給紙台のセンサ（図示せず）により用紙がなくなったことが検知されたとき、補給タイミングになったと判断する。
【０１４１】
本体側補給指示画面の一例を図１７に示す。図１７に示すように、本体側補給指示画面２４０には、今回の補給タイミングで補給が必要な給紙台における補給枚数等が表示される。
【０１４２】
印刷装置３から補給指示信号を受信すると、端末装置２のスケジュール作成部１１は、表示制御部１３により表示部１２に端末側補給指示画面を表示させる。端末側補給指示画面の一例を図１８に示す。図１８に示すように、端末側補給指示画面２５０には、本体側補給指示画面２４０と同様の内容が表示される。本体側補給指示画面２４０および端末側補給指示画面２５０の表示内容は、請求項における、使用給紙台に対する作業のガイド情報に該当する。
【０１４３】
ユーザは、端末装置２において端末側補給指示画面２５０を見て、用紙補給が必要であること、および補給作業の内容を確認できる。そして、ユーザは、印刷装置３の設置場所へと移動し、操作パネル部２８の表示部７２を見て、補給作業の内容を確認しつつ、補給作業を行うことができる。
【０１４４】
すべての印刷が終了すると、印刷装置３の制御部２９は、印刷終了後作業指示画面を表示部７２に表示させる。印刷終了後作業指示画面の一例を図１９に示す。図１９に示すように、印刷終了後作業指示画面２６０は、図１１、図１２に示したスケジュール画面１９０Ａ，１９０Ｂの印刷終了後作業指示欄１９１と同様の内容を表示する。印刷終了後作業指示画面２６０は、印刷終了後に、各給紙台の用紙積載状態を、印刷開始時の用紙のセットが行われる前の状態に戻すことをユーザに推奨し、その作業の内容を確認させるためのものである。印刷終了後作業指示画面２６０の表示内容は、請求項の復元推奨情報に相当する。
【０１４５】
以上説明したように、本実施の形態の端末装置２では、スケジュール作成部１１が、用紙の補給スケジュールを作成し、表示部１２に補給スケジュールを表示させる。これにより、ユーザは、事前に補給スケジュールを確認でき、用紙補給および他の業務等の作業の予定を立てやすくなる。このように、端末装置２は、印刷時の用紙補給における利便性を向上できる。
【０１４６】
また、端末装置２では、複数の補給スケジュールから、選択画面１８０によりいずれかの補給スケジュールをユーザに選択させる。これにより、ユーザが希望に応じた補給スケジュールを選択でき、より利便性が向上する。
【０１４７】
また、端末装置２では、端末側補給指示画面２５０等により、補給スケジュールに応じた使用給紙台に対する作業のガイド情報を表示することで、ユーザの作業効率を向上させることができる。
【０１４８】
また、端末装置２では、スケジュール画面１９０Ａ，１９０Ｂの印刷終了後作業指示欄１９１により、復元推奨情報を表示する。これにより、封書作製用の印刷の前後で印刷装置３の給紙台の用紙積載状態が変化してしまうことを抑えることができる。
【０１４９】
また、印刷装置３においても、本体側補給指示画面２４０等により、補給スケジュールに応じた使用給紙台に対する作業のガイド情報を表示することで、ユーザの作業効率を向上できる。
【０１５０】
また、印刷装置３においても、印刷終了後作業指示画面２６０により、復元推奨情報を表示することで、印刷装置３の用紙積載状態が変化してしまうことを抑えることができる。
【０１５１】
なお、本実施の形態では、複数の種別の用紙を用いる印刷として、封入封緘装置４を用いる封書作製用の印刷について説明したが、これに限らない。例えば、表紙用の用紙と本文用の用紙とを用いる製本印刷の場合にも本発明は適用可能である。
【０１５２】
また、スケジュール作成部１１は、用紙以外の消耗品の補給タイミングを求め、これを用紙の補給スケジュールとともに表示部１２に表示させてもよい。また、用紙以外の消耗品の補給タイミングになったことをユーザに通知する画面を表示部１２および表示部７２に表示させてもよい。ここで、用紙以外の消耗品としては、印刷装置３で用いるインク、封入封緘装置４で再湿糊に塗布する水等がある。例えば、印刷装置３で用いるインクであれば、スケジュール作成部１１は、印刷装置３からインク残量情報を取得するとともに、印刷データからインク消費量を算出し、インク残量情報およびインク消費量により補給タイミングを算出できる。
【０１５３】
また、本実施の形態では、印刷装置３がインクジェット方式の印刷装置であるとして説明したが、他の方式の印刷装置でもよい。
【０１５４】
また、本実施の形態では、ユーザが印刷装置３にログインして印刷を開始させる設定の場合について説明したが、ログインしない設定の場合でも本発明は適用可能である。
【０１５５】
また、印刷装置３の表示部７２に選択画面１８０およびスケジュール画面１９０Ａ，１９０Ｂと同様の内容を表示可能としてもよい。
【０１５６】
また、端末装置２のスケジュール作成部１１および表示制御部１３の機能を印刷装置３の制御部２９で実現させ、印刷装置３の表示部７２に補給スケジュール等を表示させるようにしてもよい。すなわち、請求項の印刷制御装置としての処理を印刷装置３で行うようにしてもよい。
【０１５７】
本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【０１５８】
１  印刷システム
２  端末装置
３  印刷装置
４  封入封緘装置
１１  スケジュール作成部
１２  表示部
１３  表示制御部
１４  入力部
１５  通信部
２１  給紙部
２２  印刷部
２３  連絡部
２４  上面搬送部
２５  排紙部
２６  反転部
２７  通信部
２８  操作パネル部
２９  制御部
３１  外部給紙部
３２  内部給紙部
３５  外部給紙台
４０Ａ  第１内部給紙トレイ
４０Ｂ  第２内部給紙トレイ
４０Ｃ  第３内部給紙トレイ
７２  表示部
８１  導入部
８２  内容物用紙搬送部
８３  内容物折り畳み部
８４  内容物待機部
８５  封筒用紙搬送部
８６  前折り部
８７  封筒形成部
８８  封緘部
１３０  封入作業情報入力画面
１８０  選択画面
１９０Ａ，１９０Ｂ  スケジュール画面
２２０  用紙セット指示画面
２３０  事前通知画面
２４０  本体側補給指示画面
２５０  端末側補給指示画面
２６０  印刷終了後作業指示画面
【図１】
2013030084.tif 000003
【図２】
2013030084.tif 000004
【図３】
2013030084.tif 000005
【図４】
2013030084.tif 000006
【図５】
2013030084.tif 000007
【図６】
2013030084.tif 000008
【図７】
2013030084.tif 000009
【図８】
2013030084.tif 000010
【図９】
2013030084.tif 000011
【図１０】
2013030084.tif 000012
【図１１】
2013030084.tif 000013
【図１２】
2013030084.tif 000014
【図１３】
2013030084.tif 000015
【図１４】
2013030084.tif 000016
【図１５】
2013030084.tif 000017
【図１６】
2013030084.tif 000018
【図１７】
2013030084.tif 000019
【図１８】
2013030084.tif 000020
【図１９】
2013030084.tif 000021